(57)【要約】      （修正有）【課題】頭頸部の位置を自在に調整できる頭頸部自在調整枕を提供する。【解決手段】枕本体は非伸縮生地２と伸縮生地３で袋状からなり、袋部には発泡ビーズ等流動性のある充填材を入れ、伸縮生地３を伸ばしビーズ等を移動させ頭頸部を調整した後に非伸縮生地２に連結された非伸縮生地２が、形成された形状を覆い維持することで自在に頭頸部を調整できる。【選択図】図１
2016123705.tif 000002
【特許請求の範囲】
【請求項１】
伸縮性生地と非伸縮性生地とで袋状からなる枕を特徴とする頭頸部自在調整枕。
【請求項２】
非伸縮生地が伸縮生地を覆う構造となることを特徴とする請求項１に記載の頭頸部自在調整枕。
【発明の詳細な説明】
【技術分野】
【０００１】本発明は、頭頸部自在調整枕に関するものである。
【背景技術】
【０００２】何らかの障害を持ったとき頭部の位置を調整し維持する場面がある。例えば、摂食嚥下障害者が誤嚥を起こさないようにするため、誤嚥を起し難い食事姿勢を採ることが重要であることが判っている。飲み込みやすい姿勢は誤嚥しにくい姿勢であり、後頭部を少し待ち上げ、あごを引いた頸部前屈姿勢などがある。また、呼吸をしやすくするために頭頸部姿勢を安定させることも重要である。気道確保や頭部の傾きを制限し呼吸しやすい姿勢を調整している。さらに障害の程度に応じて、個人に応じた飲み込みやすい姿勢や呼吸しやすい姿勢は様々である。これらの姿勢を枕、タオル、クッションを組み合わせることで調整している。しかし、時間とともにくずれ頭部の姿勢も崩れてしまうといった課題がある。このような課題を少しでも軽減する手段として、いくつかの公知例（特許文献１〜２）があるが、何れも満足できるものではなかった。
【先行技術文献】
【特許文献】
【０００３】
【特許文献１】実用新案登録第３１４４６７８号公報
【特許文献２】実用新案登録第３１２６９４０号公報
【発明の概要】
【発明が解決しようとする課題】本発明の課題は上記従来技術の問題を解消し、頭頸部の位置を自在に調整維持できる頭頸部自在調整枕を提供することである。【０００４】上記特許文献１は、ひもを縮め、中身を移動させることにより高さを調整することはできるが、力がかかると中身が偏在し形はくずれる。頸部を両側面より短くしていることから、誤嚥しにくい姿勢、頚部高さより後頭部の高さが高い姿勢は作れない。【０００５】上記特許文献２では頭頸部を支える枕部と、それを一定角度に調節・保持する台座部からなっており、適切な高さと頭頸部傾斜角度を調整し、固定できることが開示されている。しかしながら、頭部の位置調整を行うのに複数のブロック形状の組合せにより作製するため、人それぞれに応じた頭頸部形状に合わすことが難しく、体調に応じた頭頸部調整など自在性に欠ける。
【課題を解決するための手段】
【０００６】上記課題を達成するため本発明の頭頸部自在調整枕は，非伸縮生地と伸縮生地で袋状からなり、袋部には発泡ビーズ等流動性のある充填材を入れ、伸縮生地を伸ばすと発泡ビーズ等は移動し、頭頸部に沿った形状を形成し、非伸縮生地に連結された非伸縮生地が、形成された形状を維持することが特徴である。【０００７】袋部の両側面にひも等を取り付け、ひも等の長さを変えることにより枕の高さを変化させる。【０００８】非伸縮生地で伸縮生地を覆う例として、袋部の非伸縮生地に連結された非伸縮生地が袋部の伸縮生地を非伸縮生地で包むようにすると力が加わっても発泡ビーズ等は流動しにくく、形成された形状を維持する。【０００９】非伸縮生地で伸縮生地を覆う例として、袋部の伸縮生地は底面に接し、側面は非伸縮のひもで発泡ビーズ等の動きを制限し、伸縮生地が露出している後面を袋部の非伸縮生地に連結された非伸縮生地で覆うと、力が加わっても発泡ビーズ等は流動しにくく、形成された形状を維持する。【００１０】ひも等の長さを変えずに、発泡ビーズ等の充填材を手で移動させると頭頸部に沿って自在に枕形状を変形でき、この状態でも非伸縮生地が頭頸部に沿って形成された形状を覆い維持することができる。【００１１】ひも等の長さを変えるだけで高さを自在に変えることができ、この状態でも非伸縮生地が頭頸部に沿って形成された形状を覆い維持することができる。【００１２】左右異なった紐の長さにすることにより、頭頸部の傾斜を自在に形成でき、この状態でも非伸縮生地が頭頸部に沿って形成された形状を覆い維持することができる。【００１３】正中線より左右どちらかに頭頸部に沿って発泡ビーズ等を偏らせると自在に頸部を回旋した姿勢ができ、この状態でも非伸縮生地が頭頸部に沿って形成された形状を覆い維持することができる。
【発明の効果】本発明の頭頸部自在調整枕によれば、非伸縮生地と伸縮生地内の発泡ビーズ等の充填材の移動により頭頸部に沿った形状を自在に調整し、非伸縮生地で覆うことにより枕形状を維持することができる。【００１４】摂食嚥下障害者が誤嚥を起こさないようにするため、後頭部を少し待ち上げ、あごを引いた頸部前屈姿勢など飲み込みやすい頭頸部姿勢を、ベッド上やリクライニング車椅子上で自在に調整し維持することが可能となる。【００１５】呼吸をしやすくするために頭頸部姿勢を調整し、気道確保や呼吸しやすい頭頸部姿勢をベッド上やリクライニング車椅子上で自在に調整し維持することが可能となる。
【図面の簡単な説明】
【００１６】
【図１】図１は頭頸部自在調整枕の表裏の形状を示した図面代用写真である。（実施例１）
【図２】図２は頭頸部自在調整枕の高さの変化を示した図面代用写真である。（実施例１）
【図３】図３は頭頸部自在調整枕の伸縮生地の覆い方を示した図面代用写真である。（実施例１）。
【図４】図４は頭頸部回旋方法であり、正中線より発泡ビーズを偏らせると、頭頸部が回旋した形状を維持できる。（実施例１）
【図５】図５は頭頸部自在調整枕をベッド上での使用例である。（実施例２）
【図６】図６は頭頸部自在調整枕をリクライニング車椅子へ取り付けた使用例である。（実施例３）
【発明を実施するための形態】
【００１７】頭頸部自在調整枕は摂食嚥下障害者の飲み込みやすい頭頸部姿勢や呼吸しやすい頭頸部姿勢を調整する枕であり、ベッド面等から頸部から後頭部にかけての高さを自在に調整するために以下のように使用する。
【００１８】ひもを縮め発泡ビーズ等の充填材が入った枕部の高さを上げた状態で、ベッドまたはリクライニング車椅子上へ設置する。頭部を上記枕部の上へ載せ、頭頸部姿勢が高い位置から低い位置へと調整する。頭頸部姿勢すなわち頸部の高さ、後頭部の高さを調整するために、伸縮生地を伸ばし発泡ビーズ等を移動させ頭頸部の高さと左右の傾きを調整した後に，非伸縮生地で形状を覆い、枕に頭部の重みや頭部が動いても、発泡ビーズ等の動きを制限し、枕全体の崩れを防ぎ維持させる。発泡ビーズ形状は、大粒の俵形状をしたものが流動しにくい。
【実施例】
【実施例１】
【００１９】頭頸部自在調整枕は図１に示したように表面に非伸縮生地、裏面に伸縮生地を使用し袋部に発泡ビーズ等の充填材を入れ、袋部両面のひもを縮めることにより、図２のように袋部の高さを変化させることができる。（実施例１）【００２０】図３の左図は伸縮生地が伸びて発泡ビーズ等が露出している図である。この伸縮生地の露出部は力がかると変形することから、非伸縮生地で伸縮生地を覆うと変形を抑制し形状を維持することができる。非伸縮生地で伸縮生地を覆う例として、図３中央図のように伸縮生地は底面に接し、側面は非伸縮のひも等で動きを制限し、後面は袋部の非伸縮生地に連結された非伸縮生地で覆うと、力が加わっても発泡ビーズ等は流動しにくく、形成された形状を維持する。非伸縮生地で伸縮生地を覆う例として、図３右図のように袋部の非伸縮生地に連結された非伸縮生地で伸縮生地を包むようにすると力が加わっても発泡ビーズ等は流動しにくく形成された形状を維持する。【００２１】図４は頭頸部回旋方法であり、正中線より発泡ビーズ等を偏らせると頭頸部回旋形状を調整し維持できる。【００２２】図５は頭頸部自在調整枕をベッド上での使用例である。（実施例２）【００２３】図６は頭頸部自在調整枕をリクライニング車椅子上での使用例である。（実施例３）
【産業上の利用可能性】
【００２４】本発明の頭頸部自在調整枕は病院など医療分野、退院後の福祉施設、在宅での介護分野での誤嚥防止や呼吸の安定や睡眠時無呼吸の予防のみならず、快眠枕、健康枕、安眠枕などの分野においても、産業上の利用可能性がある。
【符号の説明】
【００２５】  １  頭頸部自在調整枕  ２  非伸縮生地  ３  伸縮生地  ４  ひも  ５  ストッパー
【図１】
2016123705.tif 000003
【図２】
2016123705.tif 000004
【図３】
2016123705.tif 000005
【図４】
2016123705.tif 000006
【図５】
2016123705.tif 000007
【図６】
2016123705.tif 000008